(57)【要約】      （修正有）【課題】液体の付着した手を迅速に拭くことができ、ハンカチに吸収された液体が周囲の物や衣服を汚さないようにできる携帯用ハンカチ保持具を提供する。【解決手段】略等しい大きさで略方形状の第１のシートと第２のシートを重ね合わせ、重ね合わされた第１のシートと第２のシートの周囲四辺のうち、対向する二辺において第１のシートと第２のシートとを接合し、他の二辺において開口部として接合せず、接合された一辺に沿った領域部分の内側に、開口部同士を結ぶ向きにレール３０を設け、このレール上に、一又は複数のハンカチ保持用クリップ４０を取り付けて構成する。【選択図】図１
2018083071.tif 000002
【特許請求の範囲】
【請求項１】
略等しい大きさで略方形状の第１のシートと第２のシートを重ね合わせ、前記第１のシートと前記第２のシートが重なった領域の周囲四辺のうち、対向する二辺において、前記第１のシートと前記第２のシートとを接合して閉口部とし、他の二辺において接合せずに開口部として構成し、前記二箇所の閉口部のうち一方に沿った領域部分の内側に、前記二箇所の開口部同士を結ぶ向きにレールを設け、このレール上に、一または複数のハンカチ保持用クリップを取り付けて構成した携帯用ハンカチ保持具。
【請求項２】
略等しい大きさで略方形状の第１のシートと第２のシートを重ね合わせ、前記第１のシートと前記第２のシートが重なった領域の周囲四辺のうち、対向する二辺において、前記第１のシートと前記第２のシートとを接合して閉口部とし、他の二辺において接合せずに開口部として構成し、前記二箇所の閉口部のうち一方に沿った領域部分の内側に、自動巻取り式紐保持部を設け、前記自動巻取り式紐保持部に、紐を介してハンカチ保持用クリップを取り付けており、前記紐の伸長方向に力が掛けられた状態では、前記自動巻取り式紐保持部と前記ハンカチ保持用クリップが離間し、前記紐の伸長方向の力が掛けられない状態では、前記自動巻取り式紐保持部と前記ハンカチ保持用クリップが接近する、携帯用ハンカチ保持具。
【請求項３】
前記第１のシートと前記第２のシートは、略長方形状の一枚のシートで構成され、前記略長方形状の一枚のシートは、長手方向を略二分する位置で折り曲げられ、対向する二本の短辺が接合されることを特徴とする請求項１又は請求項２に記載の携帯用ハンカチ保持具。
【請求項４】
さらに、前記二箇所の開口部のうち一方において、前記第１のシートと前記第２のシートとを接合して閉口部として構成することを特徴とする請求項１〜３のいずれか一項に記載の携帯用ハンカチ保持具。
【請求項５】
さらに、前記開口部に、開閉手段を備えることを特徴とする請求項１〜４のいずれか一項に記載の携帯用ハンカチ保持具。
【請求項６】
さらに、前記接合された一辺の近傍に、鞄または衣服に取り付けるための着脱手段を備えることを特徴とする請求項１〜５のいずれか一項に記載の携帯用ハンカチ保持具。
【請求項７】
鞄または衣服に、直接接着または縫着されて用いられることを特徴とする請求項１〜５のいずれか一項に記載の携帯用ハンカチ保持具。
【発明の詳細な説明】
【技術分野】
【０００１】
この発明は、携帯用ハンカチ保持具に関するものである。
【背景技術】
【０００２】
二股状に分かれた腕部の片腕に、折り畳んだハンカチの環になっている側を掛け、二股状に分かれた腕部の間にハンカチを挟んで携帯することができる、携帯用ハンカチホルダーが提案されている。
この携帯用ハンカチホルダーの腕部には、長方形状のシートを長手方向に半分に折って形成された、ハンカチを覆うためのカバーが被さっている。
また、この携帯用ハンカチホルダーの腕部には、携帯用ハンカチホルダーを鞄又は身体に取り付けて使うことができる、取付部材が備わっている。（例えば、特許文献１参照）。
【０００３】
これにより、腕部に被さっているカバーが、腕部に挟まれているハンカチを覆うことにより、濡れた手を拭いた後の水分を含んだハンカチが、周囲の物や衣服を濡らさないようにできる。
【先行技術文献】
【特許文献】
【０００４】
【特許文献１】特開２０１４−２１４４１１
【発明の概要】
【発明が解決しようとする課題】
【０００５】
ここで、上述の従来例の携帯用ハンカチホルダーは、二股状に分かれた腕部にハンカチが取り付けられていて、手を拭く毎に、ハンカチを、腕部より取り外し、広げ、手を拭いた後に畳み、再び腕部に取り付けるという手間を要する。
【０００６】
また、ハンカチを覆うカバーは、長方形状のシートを長手方向に半分に折ることで形成されているが、半分に折られたシートの周囲四辺のうち三辺は、接合されていない。
これにより、携帯用ハンカチホルダーを鞄又は衣服などに取り付けて携帯した場合、風や歩行による空気抵抗でハンカチを覆うカバーがめくれて、形状が乱れやすい。
【０００７】
本発明は、上述の問題点に鑑みてなされたものであり、本発明の目的は、液体の付着した手を迅速に拭くなどハンカチを使用する際に手間を要さず、ハンカチに吸収された液体が周囲の物や衣服を汚さないようにできる携帯用ハンカチ保持具を提供することにある。
【課題を解決するための手段】
【０００８】
上述した目的を達成するために、本発明の携帯用ハンカチ保持具は、略等しい大きさで略方形状の、第１のシートと第２のシートを重ね合わせ、重ね合わされた第１のシートと第２のシートの周囲四辺のうち、対向する二辺において第１のシートと第２のシートとを接合し、他の二辺において第１のシートと第２のシートとを開口部として接合せず、接合された一辺に沿った領域部分の内側に、開口部同士を結ぶ向きにレールが備わっていて、このレール上を動かせるように、一又は複数のハンカチ保持用クリップが取り付けられて構成される。
【０００９】
また、鞄又は衣服又はエプロン又はよだれ掛け又は腰ベルトなどに取り付けられた状態で使うことができるようにするため、携帯用ハンカチ保持具の、鞄又は衣服又はエプロン又はよだれ掛け又は腰ベルトなどに接する側の面に、安全ピンや面ファスナーなどの着脱手段を設け、鞄又は衣服又はエプロン又はよだれ掛け又は腰ベルトなどに対して着脱ができるようにしたり、あるいは、直接、鞄又は衣服又はエプロン又はよだれ掛け又は腰ベルトなどに対して接着又は縫着したりすることもある。
【発明の効果】
【００１０】
本発明の携帯用ハンカチ保持具では、開口部の内側に装備されたハンカチ保持用クリップにハンカチが保持されている状態において、携帯用ハンカチ保持具に備わっている二箇所の開口部のうち一方より、ハンカチを携帯用ハンカチ保持具の外に引き出し、液体の付着している手を拭くことができる。
ハンカチが、開口部より携帯用ハンカチ保持具の外に引き出される時、ハンカチ保持用クリップは、レール上を中央から開口部の方向に向かって動かされ、ハンカチが滑らかに開口部より外に引き出されるのを補助する。
【００１１】
また、携帯用ハンカチ保持具の外に引き出したハンカチを中に戻したい時は、ハンカチを、携帯用ハンカチ保持具に備わっている二箇所の開口部のうち一方より、携帯用ハンカチ保持具の中に押し込んで戻すことができる。
ハンカチが、開口部より携帯用ハンカチ保持具の中に戻される時、ハンカチ保持用クリップは、レール上を開口部から中央の方向に向かって動かされ、ハンカチが滑らかに開口部より中に戻されるのを補助する。
【００１２】
これにより、手を拭くなどハンカチを使用する際に手間を要さず、ハンカチの迅速な使用が可能になる。
【００１３】
本発明の携帯用ハンカチ保持具では、重ね合わされた第１のシートと第２のシートの周囲四辺のうち、対向する二辺において第１のシートと第２のシートとが接合されることでハンカチを覆うカバーが形成されていることにより、鞄や衣服などに取り付けて携帯した場合、風や歩行による空気抵抗でハンカチを覆うカバーがめくれない。よって、携帯用ハンカチ保持具の見た目が美しく保たれる。
【図面の簡単な説明】
【００１４】
【図１】（Ａ）は、第１の携帯用ハンカチ保持具の斜視図であり、（Ｂ）と（Ｃ）は、側面図である。
【図２】第１の携帯用ハンカチ保持具からハンカチを出す方法を示した説明図である。
【図３】他の構成例の側面図である。
【図４】他の構成例の側面図である。
【図５】（Ａ）は、第２の携帯用ハンカチ保持具の斜視図であり、（Ｂ）と（Ｃ）は、側面図である。
【図６】第２の携帯用ハンカチ保持具からハンカチを出す方法を示した説明図である。
【図７】（Ａ）は、第３の携帯用ハンカチ保持具の斜視図であり、（Ｂ）と（Ｃ）は、側面図である。
【図８】第３の携帯用ハンカチ保持具からハンカチを出す方法を示した説明図である。
【図９】この携帯用ハンカチ保持具からハンカチを出す方法を示した説明図である。
【図１０】取付部材用の環の構成例の説明図である。
【発明を実施するための形態】
【００１５】
以下、図を参照して、本発明の実施の形態について説明するが、各構成要素の形状、大きさ及び配置関係については、この発明が理解できる程度に概略的に示したものに過ぎない。また、以下、本発明の好適な構成例につき説明するが、各構成要素の材質及び数値的条件などは、単なる好適例にすぎない。従って、本発明は以下の実施の形態に限定されるものではなく、本発明の構成の範囲を逸脱せずに本発明の効果を達成できる多くの変更又は変形を行うことができる。
【００１６】
（第１の携帯用ハンカチ保持具）
図１を参照して、本発明の第１の実施形態に係る携帯用ハンカチ保持具（以下、第１の携帯用ハンカチ保持具と称する）について説明する。図１（Ａ）は、第１の携帯用ハンカチ保持具の斜視図であり、図１（Ｂ）は、第１の携帯用ハンカチ保持具の側面図であり、図１（Ｃ）は、第１の携帯用ハンカチ保持具にハンカチを保持させた状態の側面図である。
【００１７】
第１の携帯用ハンカチ保持具は、略等しい大きさで略方形状の、第１のシート１０と第２のシート２０を重ね合わせ、第１のシート１０と第２のシート２０の、重なった領域の周囲四辺のうち、対向する二辺において第１のシート１０と第２のシート２０を接合し、他の二辺では接合しない。これにより、接合された対向する一組の辺１０ａおよび１０ｂの領域が閉口部となり、接合されない他の組の辺１０ｃおよび１０ｄの領域が開口部として構成される。さらに、閉口部１０ａの内側に、開口部１０ｃと開口部１０ｄとを結ぶ向きにレール３０が設けられていて、このレール３０に沿って動かせるように（摺動可能に）、一又は複数のハンカチ保持用クリップ４０が取り付けられて、全体が構成される。
第１のシートと第２のシートを重ね合わせる方法としては、二枚の略方形状で略等しい大きさのシートを重ね合わせる方法や、略長方形状の一枚のシートを、長手方向を略二分する位置で折り曲げて重ね合わせる方法がある。
なお、第１のシート及び第２のシートの形状は、必ずしも方形状に限られない。
【００１８】
図２は、第１の携帯用ハンカチ保持具からハンカチを出す方法を示した説明図であり、（Ａ）から（Ｂ）の状態に遷移するように、ハンカチ５０を、第１の携帯用ハンカチ保持具の外に引き出す様子を示している。
ここでは、ハンカチには、ミニタオルなど狭義のハンカチよりも厚いものも含むものとする。
【００１９】
第１の携帯用ハンカチ保持具において、レールにはハンカチ保持用クリップが摺動可能に取り付けられている。このレールの役割は、第１の携帯用ハンカチ保持具に備わっている二箇所の開口部の間を、ハンカチ保持用クリップが滑らかに動くようにすることである。
【００２０】
第１の携帯用ハンカチ保持具において、レールは、金属、樹脂、ナイロン、綿などの素材により作られたものであって、レールの長さは、閉口部１０ａの長さと等しいか、又はそれよりも短い。レールが開口部付近まで長く伸びているほど、ハンカチ保持用クリップが開口部付近まで動かされるため、開口部より外に引き出されるハンカチの面積は、より大きくなる。
【００２１】
図３に示すように、携帯用ハンカチ保持具の開口部１０ｃ及び１０ｄの領域に、ファスナー、ホック、ボタン、マグネットなどの開閉手段が備わっていると、ハンカチ保持用クリップにハンカチが保持されている状態において、ハンカチが揺れなどにより開口部から不意に飛び出してしまうことを防げる。
さらに、ファスナー、ホック、ボタン、マグネットなどの開閉手段が、開口部１０ｃ及び１０ｄの領域から閉口部１０ａ及び１０ｂの領域に繋がるまでL字状に及んでいると、ハンカチの出し入れをする際に、必要に応じて閉口部１０ａ及び１０ｂを開口状態にすることができ、開口部１０ｃ及び１０ｄを大きく開かせることが可能になり、ハンカチの出し入れを、よりスムーズに行えるようになる。
なお、ハンカチの出し入れをする以外の時には、携帯用ハンカチ保持具は、閉口部１０ａ及び１０ｂの領域が閉口された状態にされているのが良い。
【００２２】
また、携帯用ハンカチ保持具の開口部として構成される領域（辺１０ｃ及び１０ｄの領域）のうち一方の領域において、第１のシートと第２のシートを接合させて、閉口部として構成することもある。
【００２３】
図４に示すように、第１の携帯用ハンカチ保持具を構成する第１のシートと第２のシートのうち一方を、他方に対し、弛ませて構成することもある。一方のシートの接合しない辺の長さを、他方のシートの接合しない辺の長さよりも、やや長くすることで、弛ませて構成することができる。第１のシートと第２のシートのうち一方が、第１の携帯用ハンカチ保持具の外側に向けてしなりにくい材質や状態である場合などに、このように構成することで、第１のシートと第２のシートの間が、ハンカチを保持させるのに十分な広さになるようにできる。
【００２４】
シートには、綿、麻、竹、極細化学繊維、ナイロン、ポリエステルなどを中心とする素材で作られた布の他に、ビニール、プラスチック、シリコン、皮革なども用いることができる。
【００２５】
シートが抗菌性を有する布であると、携帯用ハンカチ保持具を、より衛生的な状態に保つことができる。抗菌性を有する布の例としては、元来抗菌性を備える竹などの天然繊維、銀などの抗菌物質により抗菌加工を施された綿繊維や極細化学繊維などの素材から作られた布であって、抗菌性を有する任意好適な布を用いることができる。
【００２６】
シートが難透液性を持っていると、ハンカチに吸収されている液体が携帯用ハンカチ保持具の外側まで滲み出しにくくなり、携帯用ハンカチ保持具を鞄や衣服の内部に収納した場合などに、ハンカチが、ハンカチに吸収されている液体によって、携帯用ハンカチ保持具の外側にある物や衣服を汚してしまうリスクが低くなる。
【００２７】
携帯用ハンカチ保持具を、シリコン、皮革、プラスチックなど硬質なシートにて構成する場合に、開口部１０ｃ及び１０ｄが曲がりにくい又は曲がらないといった理由により、開口部１０ｃ及び１０ｄから、ハンカチの出し入れをスムーズに行えなくなることが懸念される。
これを避けるために、本来閉口させる部分の辺１０ａと１０ｂのうち一方又は両方を、開口、又は、容易に開口可能な状態に構成することがある。容易に開口可能な状態にするには、ファスナー、ホック、ボタン、マグネットなどの開閉手段を、本来閉口させる部分の辺１０ａと１０ｂのうち一方又は両方に備えるものとする。
なお、開口させる目的は、開口部１０ｃ及び１０ｄを、大きく開かせることを可能にすることであって、携帯用ハンカチ保持具の使用者が、開口部１０ｃ及び１０ｄからハンカチの出し入れをスムーズに行えるように助けることである。
上述のとおり構成することによって、携帯用ハンカチ保持具の内部に手を入れるなどしての掃除がしやすくなり、ひいては、携帯用ハンカチ保持具を、シリコン、皮革、プラスチックなど硬質なシートにて構成する場合であっても、内部を衛生的に保ちやすくなる。
【００２８】
（第２の携帯用ハンカチ保持具）
図５を参照して、本発明の第２の実施形態に係る携帯用ハンカチ保持具（以下、第２の携帯用ハンカチ保持具と称する）について説明する。図５（Ａ）は、第２の携帯用ハンカチ保持具の斜視図であり、図５（Ｂ）は、第２の携帯用ハンカチ保持具の側面図であり、図５（Ｃ）は、第２の携帯用ハンカチ保持具にハンカチを保持させた状態の側面図である。なお、第１の携帯用ハンカチ保持具と同様に構成される部分については、重複する説明を省略することがある。
【００２９】
図６は、第２の携帯用ハンカチ保持具からハンカチを出す方法を示した説明図であり、（Ａ）から（Ｂ）の状態に遷移するように、ハンカチ５０を、第２の携帯用ハンカチ保持具の外に引き出す様子を示している。
ここでは、ハンカチには、ミニタオルなど狭義のハンカチよりも厚いものも含むものとする。
【００３０】
第２の携帯用ハンカチ保持具において、レールは、金属、樹脂、ナイロン、綿などの素材により作られたものであって、レールの長さは、閉口部１０ａの長さよりも長い状態に構成される。
レールには一又は複数のハンカチ保持用クリップが摺動可能に取り付けられている。このレールの役割は、第２の携帯用ハンカチ保持具に備わっている二箇所の開口部の間を、ハンカチ保持用クリップが滑らかに動くようにするとともに、第２の携帯用ハンカチ保持具に備わっている二箇所の開口部それぞれから外側に向けて、ハンカチ保持用クリップが滑らかに動くようにすることである。
第１の携帯用ハンカチ保持具では、ハンカチを、開口部近傍までしか開口部から外側に引き出せないが、第２の携帯用ハンカチ保持具では、開口部から離れた箇所にまでハンカチを開口部から外側に引き出すことができる。ハンカチを開口部からどの程度離れた箇所まで引き出せるかは、開口部より外側に出ているレールの部分の長さによる。
【００３１】
（第３の携帯用ハンカチ保持具）
図７を参照して、本発明の第３の実施形態に係る携帯用ハンカチ保持具（以下、第３の携帯用ハンカチ保持具と称する）について説明する。図７（Ａ）は、第３の携帯用ハンカチ保持具の斜視図であり、図７（Ｂ）は、第３の携帯用ハンカチ保持具の側面図であり、図７（Ｃ）は、第３の携帯用ハンカチ保持具にハンカチを保持させた状態の側面図である。なお、第１の携帯用ハンカチ保持具や第２の携帯用ハンカチ保持具と同様に構成される部分については、重複する説明を省略することがある。
【００３２】
図８は、第３の携帯用ハンカチ保持具からハンカチを出す方法を示した説明図であり、（Ａ）から（Ｂ）の状態に遷移するように、ハンカチ５０を、第３の携帯用ハンカチ保持具の外に引き出す様子を示している。
ここでは、ハンカチには、ミニタオルなど狭義のハンカチよりも厚いものも含むものとする。
【００３３】
第３の携帯用ハンカチ保持具において、レールは、第２の携帯用ハンカチ保持具と同様に構成される。すなわち、レールは、金属、樹脂、ナイロン、綿などの素材により作られたものであって、レールの長さは、閉口部１０ａの長さよりも長い状態に構成される。
第２の携帯用ハンカチ保持具と異なる点は、レールに、一又は複数のハンカチ保持用クリップが、摺動可能ではなく固定された状態に取り付けられている点である。この為、第３の携帯用ハンカチ保持具に備わっている二箇所の開口部の間をハンカチ保持用クリップが滑らかに動くようにするためには、レールに固定された状態のハンカチ保持用クリップが二箇所の開口部の間を動くように、レール自体を動かす必要がある。また、第３の携帯用ハンカチ保持具に備わっている二箇所の開口部それぞれから外側に向けてハンカチ保持用クリップが動くようにするためには、レールに固定された状態のハンカチ保持用クリップが、二箇所の開口部それぞれから外側に向けて動くように、レール自体を動かす必要がある。
第１の携帯用ハンカチ保持具では、ハンカチを、開口部近傍までしか開口部から外側に引き出せないが、第２の携帯用ハンカチ保持具、及び、第３の携帯用ハンカチ保持具では、ハンカチを、開口部から遠く離れた箇所にまで、開口部から外側に引き出すことができる。ハンカチを開口部からどの程度離れた箇所まで引き出せるかは、開口部より外側に出ているレールの部分の長さによる。
【００３４】
第２の携帯用ハンカチ保持具、及び、第３の携帯用ハンカチ保持具においては、開口部１０ｃより外側に出ているレールの部分や、開口部１０ｄより外側に出ているレールの部分を、腰位置や首位置などに巻き付ける、或いは、腰位置や首位置などに結び付けるといった使い方をするように、携帯用ハンカチ保持具の使用者に推奨することがある。
【００３５】
第２の携帯用ハンカチ保持具、及び、第３の携帯用ハンカチ保持具においては、開口部１０ｃより外側に出ているレールの部分や、開口部１０ｄより外側に出ているレールの部分が、携帯用ハンカチ保持具の持ち手としての役割も兼ねるように、或いは鞄などへの取付部材としての役割も兼ねるように、構成することがある。
【００３６】
第２の携帯用ハンカチ保持具、及び、第３の携帯用ハンカチ保持具においては、開口部１０ｃより外側に出ているレールの端と、開口部１０ｄより外側に出ているレールの端とが、繋がっている状態に構成することもある。繋がっている状態に構成することによって、携帯用ハンカチ保持具に２箇所備わっている開口部の、内側のみならず外側も、開口部間をハンカチ保持用クリップが動くようにすることができる。
【００３７】
ここでは、レールにハンカチ保持用クリップを取り付ける例を説明したが、これに限定されない。例えば、レールに換えて自動巻取り式紐保持部６０を備え、この自動巻取り式紐保持部６０に、紐を介してハンカチ保持用クリップ４０を取り付け、紐の伸長方向に力が掛けられた状態では、自動巻取り式紐保持部６０とハンカチ保持用クリップ４０とが離間し、紐の伸長方向の力が掛けられない状態では、自動巻取り式紐保持部６０とハンカチ保持用クリップ４０とが接近する構成にしてもよい。
図９は、この実施例の携帯用ハンカチ保持具からハンカチを出す方法を示した説明図であり、ハンカチ５０を、（Ａ）から（Ｂ）の状態に遷移するように、携帯用ハンカチ保持具の外に引き出す様子を示している。
この場合の自動巻取り式紐保持部には、リールキーホルダーという名称で市販されている部品などが該当する。
【００３８】
（携帯用ハンカチ保持具の他の構成例）
携帯用ハンカチ保持具を、鞄又は衣服又はエプロン又はよだれ掛け又は腰ベルトに取り付けられた状態で使うことができるようにするため、携帯用ハンカチ保持具の鞄又は衣服又はエプロン又はよだれ掛け又は腰ベルトに接する側の面に、安全ピンや面ファスナーなどの着脱手段を設け、鞄又は衣服又はエプロン又はよだれ掛け又は腰ベルトに対して着脱ができるように構成することもある。
【００３９】
それ以外の鞄又は衣服又はエプロン又はよだれ掛け又は腰ベルトへの取り付け方として、バンド付きクリップ、ストラップ、カラビナ、ナスカン、ベルトなどの取付部材によって取り付けられるように、携帯用ハンカチ保持具を構成する場合もある。この場合、携帯用ハンカチ保持具に備わった開口部よりハンカチを出し入れする際、この動作を妨げない箇所に、例えば図１０（Ａ）や図１０（Ｂ）に示すような、取付部材用の一又は複数の環７０が備わっている。
図１０（Ａ）は、第２部分２０の外側の面に対して、ベルト８０を、閉口した一辺に沿う位置に両端１１０と中央１２０で固定し、両端１１０と中央１２０の間を環７０として利用する例を示す図であり、図１０（Ｂ）は、接合した一辺に沿う位置に、金属、樹脂、紐などにより作られた環７０を備える例を示す図である。
【００４０】
また、上述した環７０には、バンド付きクリップ、ストラップ、カラビナ、ナスカン、ベルトなどの取付部材が取り付けられているのが良い。
【００４１】
なお、携帯用ハンカチ保持具は、鞄又は衣服又はエプロン又はよだれ掛け又は腰ベルトなどに接着又は縫着されていてもよい。携帯用ハンカチ保持具が、鞄又は衣服又はエプロン又はよだれ掛け又は腰ベルトなどに接着又は縫着されていると、携帯用ハンカチ保持具の携帯し忘れを防ぐことができ、また、鞄又は衣服又はエプロン又はよだれ掛け又は腰ベルトなどを洗濯する際に、同時に携帯用ハンカチ保持具も洗濯され、便利である。
【符号の説明】
【００４２】
１０    第１部分
１０ａ    閉口する部分の辺
１０ｂ    閉口する部分の辺
１０ｃ    開口する部分の辺
１０ｄ    開口する部分の辺
２０    第２部分
３０    レール
４０    ハンカチ保持用クリップ
５０    ハンカチ
６０    自動巻取り式紐保持部
７０    取付部材用の環
８０    ベルト
９０    ファスナー
【図１】
2018083071.tif 000003
【図２】
2018083071.tif 000004
【図３】
2018083071.tif 000005
【図４】
2018083071.tif 000006
【図５】
2018083071.tif 000007
【図６】
2018083071.tif 000008
【図７】
2018083071.tif 000009
【図８】
2018083071.tif 000010
【図９】
2018083071.tif 000011
【図１０】
2018083071.tif 000012